(57)【特許請求の範囲】
【請求項１】
棹と、棹を支持する台座とを備える小型墓碑であって、
前記台座は、棹に向かって、芝台、中台、上台を順次配置したものであり、その内部に、中台を貫通する貫通孔、または、中台および上台を貫通する貫通孔と、当該貫通孔の底板となる芝台とで画成された開空間からなる収納部を備え、この収納部が、上台、中台の少なくとも一つの取り外しによって開放されるものであることを特徴とする小型墓碑。
【請求項２】
前記収納部が、中台および上台を貫通する貫通孔と、この貫通孔の底板となる芝台とで画成された開空間からなり、前記上台は、前記棹を取り外し可能に支持するものである請求項１に記載の小型墓碑。
【請求項３】
前記上台の径寸法を前記中台の径寸法よりも小さく設定してなる請求項２に記載の小型墓碑。
【請求項４】
前記上台及び中台は、該台座の残部によって取り外し可能に支持されるものである請求項１乃至３のいずれか一項に記載の小型墓碑。
【請求項５】
棹と、棹を支持する台座とを備える小型墓碑であって、
前記台座は、棹に向かって、芝台、上台を順次配置したものであり、その内部には、上台を貫通する貫通孔と、この貫通孔の底板となる芝台とで画成された開空間からなる収納部を備え、この収納部が、棹、上台の少なくとも一つの取り外しによって開放されるものであることを特徴とする小型墓碑。
【請求項６】
前記棹が上方に向かって、玉、笠、ギボシを順次支持することにより五輪塔形状をなす請求項１乃至５のいずれか一項に記載の小型墓碑。
【請求項７】
前記棹が上方に向かって、塔身、笠、相輪を順次支持することにより宝筐印塔形状をなす請求項１乃至５のいずれか一項に記載の小型墓碑。
【発明の詳細な説明】
【０００１】
【発明の属する技術分野】
本発明は、遺骨、遺髪、故人が生前使用していた物などの故人を偲ぶ物品を収納する機能を備える小型墓碑に関するものである。
【０００２】
【従来の技術】
従来の小型墓碑としては、例えば、平成１１年６月２１日に出願された実願平１１−４４８８号に記載のものがある。これは、棹を取り外し可能に支持する台座を備える小型墓碑であって、棹に遺骨、遺髪、故人が生前使用していた物などの故人を偲ぶ物品（以下、遺品と総称する）を収納する収納部を設けたものである。
【０００３】
【発明が解決しようとする課題】
しかしながら、上述のような従来墓碑にあっては、棹の底面に形成された収納口から遺品の収納または取り出しを行うため、遺品が遺族などの利用者の意思と無関係に収納部から脱落することが考えられる。このため、従来の小型墓碑には、遺品を収容するための容器や、収納部を封鎖するためのキャップを別体として設けるなどして、遺品の脱落を防止する対策が必要であった。
【０００４】
本発明は、上述した問題点を解消するためになされたものであって、小型墓碑に収納された遺品を利用者の意思と無関係に脱落させること無く収納および取り出し可能な小型墓碑を提供することを目的とする。
【０００５】
【課題を解決するための手段】
この課題を解決するため、第１発明に係る、小型墓碑は、棹と、棹を支持する台座とを備える小型墓碑であって、前記台座は、棹に向かって、芝台、中台、上台を順次配置したものであり、その内部に、中台を貫通する貫通孔、または、中台および上台を貫通する貫通孔と、当該貫通孔の底板となる芝台とで画成された開空間からなる収納部を備え、この収納部が、上台、中台の少なくとも一つの取り外しによって開放されるものであることを特徴とする。
【０００６】
第２発明に係る、小型墓碑は、第１発明において、前記収納部が、中台および上台を貫通する貫通孔と、この貫通孔の底板となる芝台とで画成された開空間からなり、前記上台は、前記棹を取り外し可能に支持するものである。
【０００７】
第３発明に係る、小型墓碑は、第２発明において、前記上台の径寸法を前記中台の径寸法よりも小さく設定してなるものである。
【０００８】
第４発明に係る、小型墓碑は、第１発明乃至第３発明のいずれか一発明において、前記上台及び中台は、該台座の残部によって取り外し可能に支持されるものである。
【０００９】
特に、第１発明に係る、小型墓碑は、前記台座が、棹に向かって、芝台、中台、上台を順次配置したものであり、前記収納部は、中台を貫通する貫通孔、または、中台および上台を貫通する貫通孔と、この貫通孔の底板となる芝台とで画成された開空間である。
【００１０】
第５発明に係る、小型墓碑は、棹と、棹を支持する台座とを備える小型墓碑であって、前記台座は、棹に向かって、芝台、上台を順次配置したものであり、その内部に、上台を貫通する貫通孔と、この貫通孔の底板となる芝台とで画成された開空間からなる収納部を備え、この収納部が、棹、上台の少なくとも一つの取り外しによって開放されるものである。
【００１１】
第６発明に係る、小型墓碑は、第１発明乃至第５発明のいずれか一発明において、前記棹が上方に向かって、玉、笠、ギボシを順次支持することにより五輪塔形状をなすものである。
【００１２】
第７発明に係る、小型墓碑は、第１発明乃至第５発明のいずれか一発明において、前記棹が上方に向かって、塔身、笠、相輪を順次支持することにより宝筐印塔形状をなすものである。
【００１３】
【発明の実施の形態】
以下、本発明の実施の形態を、添付図面に基づき具体的に説明する。
【００１４】
図１〜図３は、本発明に係る、小型墓碑の第１の実施形態であって、図１は小型墓碑に付属物を配した状態を示す正面図、また、図２は、小型墓碑を分解した状態を示す斜視図である。図３は、小型墓碑の付属品であって、（ａ）は経机香炉を示す正面図、（ｂ）は拝石を模した経机香炉用石板を示す斜視図、（ｃ）は水鉢を示す正面図、（ｄ）は花立を示す正面図である。なお、図２，３には具体的な寸法がcm（センチメートル）単位で例示してある。
【００１５】
本実施形態１０は、純日本風の小型墓石であって、故人の姓名などを表示した棹１１と、この棹１１を支持する台座１２とを備える。台座１２は、棹１１に向かって、棹１１よりも幅の広い芝台１３、中台１４、上台１５を順次配置したものである。なお、本実施形態では、水鉢１６および花立１７は、図１に示す如く、芝台１３上に配置され、経机香炉１８および石板１９は、石板１９が経机香炉１８を支持した状態で、水鉢１６および花立１７のさらに前方に配置される。
【００１６】
また台座１２は、その内部に収納部Ｒ1を備え、この収納部Ｒ1は、図２に示す如く、上台１５を貫通する径寸法φ1（本実施形態ではφ1＝２．３cm）の貫通孔ｈ1および中台１４を貫通する径寸法φ2（本実施形態ではφ2＝３cm）の貫通孔ｈ2と、これらの貫通孔ｈ1，ｈ2の底板となる芝台１３とで画成された開空間であって、棹１１および台座１２の一部の少なくとも一方の取り外しによって開放されるものである。
【００１７】
つまり、遺族などの利用者は、棹１１、上台１５、中台１４の少なくとも一方の取り外しによって収納部Ｒ1を開放することにより、遺品を収納部Ｒ1に収納する。このため、例えば、上台１５が棹１１を取り外し可能に支持するものであると、貫通孔ｈ1，ｈ2の全てを収納部Ｒ1として利用することにより収納面積を大きく確保できるため、機能的に優れた小型墓碑を提供することができる。この場合、上台１５、中台１４、芝台１３は、接着などによって一体に取り付けられたものであっても、互いに取り外し可能に配置されたものであってもよい。
【００１８】
また、上台１５が中台１４によって取り外し可能に支持されるものであると、指輪などの小さな遺品の収納および取り出しが容易であるため、さらに機能的に優れた小型墓碑を提供することができる。この場合、棹１１と上台１５は、接着などによって一体に取り付けられたものであっても、互いに取り外し可能に配置されたものであってもよい。また、中台１４と芝台１３も、接着などによって一体に取り付けられたものであっても、互いに取り外し可能に配置されたものであってもよい。
【００１９】
そして、中台１４が芝台１３によって取り外し可能に支持されるものであるときも、上台１５が中台１４によって取り外し可能に支持されるときと同様、小さな遺品の収納および取り出しが容易である。この場合、棹１１と上台１５と中台１４は、接着などによって一体に取り付けられたものであっても、互いに取り外し可能に配置されたものであってもよい。
【００２０】
従って本実施形態１０によれば、遺髪、遺骨や故人が生前に使用していた物などの故人を偲ぶ物品（遺品）を収納する収納部Ｒ1が台座１２に設けられているから、小型墓碑に収納した遺品を遺族などの利用者の意思と無関係に脱落させること無く収納および取り出し可能になる。
【００２１】
特に本実施形態１０は、台座１２は、棹１１に向かって、芝台１３、中台１４、上台１５を順次配置したものであり、収納部Ｒ1は、中台１４および上台１５を貫通する貫通孔ｈ1，ｈ2と、貫通孔ｈ1，ｈ2の底板となる芝台１３とで画成された開空間である。この場合、主に日本などの地域や特定の宗教において利用される墓碑に適用可能であるから、顧客のニーズに合わせた小型墓碑を提供することができる。また、本実施形態１０は、中台１４、上台１５がそれぞれ、棹１１に比べて幅寸法の広い台であるため、棹１１に収納部を設けた場合に比べて貫通孔ｈ1，ｈ2の穴径φ1，φ2を大きくできるから、収納部Ｒ1としての収納空間を大きく確保することができる。
【００２２】
なお、貫通孔ｈ1の径寸法φ1と、貫通孔ｈ2の径寸法φ2との寸法的な関係は任意に設定することが可能であるが、本実施形態の如く、径寸法φ1が径寸法φ2よりも小さく設定されていることが好ましい。この場合、上台から遺品を収納するときに中台に引っ掛けてしまうことが無い分、機能性に優れた小型墓碑となる。
【００２３】
図４〜図６は、本発明に係る、小型墓碑の第２の実施形態であって、図４は小型墓碑に付属物を配した状態を示す正面図、また、図５は、小型墓碑を分解した状態を示す斜視図である。図６は、小型墓碑の付属品であって、（ａ）は水鉢を示す斜視図、（ｂ）は花立を示す斜視図、（ｃ）は拝石を模した石板を示す斜視図である。なお、図５，６には具体的な寸法が例示してある。
【００２４】
本実施形態２０は、西洋風の小型墓石であって、故人の姓名などを表示した棹２１と、この棹２１を支持する台座２２とを備える。台座２２は、棹２１に向かって、芝台２３、上台２４を順次配置したものである。なお、本実施形態では、水鉢２５および花立２６は、図４に示す如く、芝台２３上に配置され、拝石２７は、水鉢２５および花立２６のさらに前方に配置される。
【００２５】
また台座２２は、その内部に収納部Ｒ2を備え、この収納部Ｒ2は、図５に示す如く、上台２４を貫通する径寸法φ3(本実施形態ではφ3＝２．３cm)の貫通孔ｈ3と、この貫通孔ｈ3の底板となる芝台２３とで画成された開空間であって、棹２１、上台２４の少なくとも一方の取り外しによって開放できるものである。この場合、上台２４、芝台２３は、接着などによって一体に取り付けられたものであっても、互いに取り外し可能に配置されたものであってもよい。
【００２６】
つまり、遺族などの利用者は、棹２１および上台２４の少なくとも一方の取り外しによって収納部Ｒ2を開放することにより、遺品を収納部Ｒ2に収納する。
【００２７】
従って本実施形態２０によれば、遺品を収納する収納部Ｒ2が台座２２に設けられているから、小型墓碑に収納した遺品を遺族などの利用者の意思と無関係に脱落させること無く収納および取り出し可能になる。
【００２８】
特に本実施形態２０は、台座２２が棹２１に向かって、芝台２３、上台２４を順次配置したものであり、収納部Ｒ2は、上台２４を貫通する貫通孔ｈ3と、この貫通孔ｈ3の底板となる芝台２３とで画成された開空間である。この場合、主に欧米などの地域や特定の宗教において利用される墓碑に適用可能であるから、顧客のニーズに合わせた小型墓碑を提供することができる。また、本実施形態２０は、上台２４が棹２１に比べて幅寸法の広い台であるため、棹２１に収納部を設けた場合に比べて貫通孔ｈ3の穴径φ3を大きくできるから、収納部Ｒ2としての収納空間を大きく確保することができる。
【００２９】
図７〜図９は、本発明に係る、小型墓碑の第３の実施形態であって、図７は小型墓碑に付属物を配した状態を示す正面図、また、図８は、小型墓碑を分解した状態を示す斜視図である。図９は、小型墓碑の付属品であって、花立を一体的に形成した水鉢を示す斜視図である。なお、図８，９には具体的な寸法が例示してある。
【００３０】
本実施形態３０は、故人の姓名などを表示した棹３１が上方に向かって、玉３６、笠３７、ギボシ３８を順次支持することにより五輪塔形状をなす小型墓石であって、棹３１を支持する台座３２は、棹３１に向かって、棹３１よりも幅の広い芝台３３、中台３４、上台３５を順次配置したものである。
【００３１】
また台座３２は、その内部に収納部Ｒ3を備え、この収納部Ｒ3は、上台３５を貫通する径寸法φ4(本実施形態ではφ4＝２．３cm)の貫通孔ｈ4および中台３４を貫通する径寸法φ5(本実施形態ではφ5＝３cm)の貫通孔ｈ5と、これらの貫通孔ｈ4，ｈ5の底板となる芝台３３とで画成された開空間であって、棹３１および台座３２の一部の少なくとも一方の取り外しによって開放されるものである。
【００３２】
つまり、第１実施形態と同様に、遺族などの利用者は、棹３１、上台３５、中台３４の少なくとも一方の取り外しによって収納部Ｒ3を開放することにより、遺品を収納部Ｒ3に収納する。
【００３３】
このため、例えば、上台３５が棹３１を取り外し可能に支持するものであると、貫通孔ｈ4，ｈ5の全てを収納部Ｒ3として利用することにより収納面積を大きく確保できるため、機能的に優れた小型墓碑を提供することができる。この場合、上台３５、中台３４、芝台３３は、接着などによって一体に取り付けられたものであっても、互いに取り外し可能に配置されたものであってもよい。
【００３４】
また、上台３５が中台３４によって取り外し可能に支持されるものであると、指輪などの小さな遺品の収納および取り出しが容易であるため、さらに機能的に優れた小型墓碑を提供することができる。この場合、棹３１と上台３５は、接着などによって一体に取り付けられたものであっても、互いに取り外し可能に配置されたものであってもよい。また、中台３４と芝台３３も、接着などによって一体に取り付けられたものであっても、互いに取り外し可能に配置されたものであってもよい。
【００３５】
そして、中台３４が芝台３３によって取り外し可能に支持されるものであるときも、上台３５が中台３４によって取り外し可能に支持されるときと同様、小さな遺品の収納および取り出しが容易である。この場合、棹３１と上台３５と中台３４は、接着などによって一体に取り付けられたものであっても、互いに取り外し可能に配置されたものであってもよい。
【００３６】
なお、貫通孔ｈ4の径寸法φ4と、貫通孔ｈ5の径寸法φ5との寸法的な関係は任意に設定することが可能であるが、本実施形態の如く、径寸法φ4が径寸法φ5よりも小さく設定されていることが好ましい。この場合、上台３５から遺品を収納するときに中台３４に引っ掛けてしまうことが無い分、機能性に優れた小型墓碑となる。また、本実施形態３０は、中台３４，上台３５が棹３１に比べて幅寸法の広い台であるため、棹３１に収納部を設けた場合に比べて貫通孔ｈ4，ｈ5の穴径φ４，φ５を大きくできるから、収納部Ｒ3としての収納空間を大きく確保することができる。
【００３７】
図１０，１１は、本発明に係る、小型墓碑の第４の実施形態であって、図１０は小型墓碑を示す正面図、また、図１１は、小型墓碑を分解した状態を示す斜視図である。なお、図１１には具体的な寸法が例示してある。
【００３８】
本実施形態４０は、第３の実施形態と同様に、棹４１が上方に向かって、玉４５、笠４６、ギボシ４７を順次支持するものことにより五輪塔形状をなす小型墓石である。台座４２は、棹４１に向かって、棹４１よりも幅寸法の広い芝台４３、上台４４を順次配置したものである。
【００３９】
また台座４２は、その内部に収納部Ｒ5を備え、この収納部Ｒ5は、上台４４を貫通する径寸法φ6(本実施形態では、φ6＝１．８cm)の貫通孔ｈ6と、この貫通孔ｈ6の底板となる芝台４３とで画成された開空間であって、棹４１、上台４４の少なくとも一方の取り外しによって開放できるものである。この場合、上台４４、芝台４３は、接着などによって一体に取り付けられたものであっても、互いに取り外し可能に配置されたものであってもよい。
【００４０】
つまり、遺族などの利用者は、棹４１および上台４４の少なくとも一方の取り外しによって収納部Ｒ4を開放することにより、遺品を収納部Ｒ4に収納する。なお、本実施形態４０は、上台４４が棹４１に比べて幅寸法の広い台であるため、棹４１に収納部を設けた場合に比べて貫通孔ｈ6の穴径φ6を大きくできるから、収納部Ｒ4としての収納空間を大きく確保することができる。
【００４１】
従って本実施形態３０（４０）によれば、遺品を収納する収納部Ｒ3（Ｒ4）が台座３２（４２）に設けられているから、小型墓碑に収納した遺品を遺族などの利用者の意思と無関係に脱落させること無く収納および取り出し可能になる。
【００４２】
特に第３および第４本実施形態３０（４０）は、棹３１（４１）が上方に向かって、玉３６（４５）、笠３７（４６）、ギボシ３８（４７）を順次支持する五輪塔である。この場合、主に日本などの地域や特定の宗教において利用される墓碑に適用可能であるから、顧客のニーズに合わせた小型墓碑を提供することができる。
【００４３】
図１２，図１３は、本発明に係る、小型墓碑の第５の実施形態であって、図１２は小型墓碑を示す一部断面図、また、図１３は図１２を上面から示す一部断面図である。なお、図１２は、上台および中台を一部断面で示し、図１３は、図１２，１３には具体的な寸法が例示してある。
【００４４】
本実施形態５０は、故人の姓名などを表示した棹５１が上方に向かって、塔身５６、笠５７、相輪５８を順次支持することにより宝筐印塔形状をなす小型墓石であって、棹５１を支持する台座５２は、棹５１に向かって、棹５１よりも幅寸法の広い芝台５３、中台５４、上台５５を順次配置したものである。上台５５は、上蓮華５５ａと下蓮華５５ｂとを一体または取り外し可能な別体にして構成される。
【００４５】
また台座５２は、その内部に収納部Ｒ5を備え、この収納部Ｒ5は、上蓮華５５ａおよび下蓮華５５ｂを貫通する径寸法φ7(本実施形態ではφ7＝２．１cm)の貫通孔ｈ7および中台５４を貫通する径寸法φ8(本実施形態ではφ8＝２．４cm)の貫通孔ｈ8と、これらの貫通孔ｈ7，ｈ8の底板となる芝台５３とで画成された開空間であって、棹５１および台座５２の一部の少なくとも一方の取り外しによって開放されるものである。
【００４６】
つまり、遺族などの利用者は、棹５１、上台５５、中台５４の少なくとも一方の取り外しによって収納部Ｒ5を開放することにより、遺品を収納部Ｒ5に収納する。
【００４７】
このため、例えば、上台５５が棹５１を取り外し可能に支持するものであると、貫通孔ｈ7，ｈ8の全てを収納部Ｒ5として利用することにより収納面積を大きく確保できるため、機能的に優れた小型墓碑を提供することができる。この場合、上台５５、中台５４、芝台５３は、接着などによって一体に取り付けられたものであっても、互いに取り外し可能に配置されたものであってもよい。
【００４８】
また、上台５５が中台５４によって取り外し可能に支持されるものであると、指輪などの小さな遺品の収納および取り出しが容易であるため、さらに機能的に優れた小型墓碑を提供することができる。この場合、棹５１と上台５５は、接着などによって一体に取り付けられたものであっても、互いに取り外し可能に配置されたものであってもよい。また、中台５４と芝台５３も、接着などによって一体に取り付けられたものであっても、互いに取り外し可能に配置されたものであってもよい。
【００４９】
そして、中台５４が芝台５３によって取り外し可能に支持されるものであるときも、上台５５が中台５４によって取り外し可能に支持されるときと同様、小さな遺品の収納および取り出しが容易である。この場合、棹５１と上台５５と中台５４は、接着などによって一体に取り付けられたものであっても、互いに取り外し可能に配置されたものであってもよい。
【００５０】
なお、貫通孔ｈ7の径寸法φ7と、貫通孔ｈ8の径寸法φ8との寸法的な関係は任意に設定することが可能であるが、本実施形態の如く、径寸法φ7が径寸法φ8よりも小さく設定されていることが好ましい。この場合、上台５５から遺品を収納するときに中台５４に引っ掛けてしまうことが無い分、機能性に優れた小型墓碑となる。
【００５１】
従って本実施形態５０によれば、遺品を収納する収納部Ｒ5が台座５２に設けられているから、小型墓碑に収納した遺品を遺族などの利用者の意思と無関係に脱落させること無く収納および取り出し可能になる。
【００５２】
特に本実施形態５０は、棹５１が上方に向かって、塔身５６、笠５７、相輪５８を順次支持する宝筐印塔である。この場合、主に東アジアなどの地域や特定の宗教において利用される墓碑に適用可能であるから、顧客のニーズに合わせた小型墓碑を提供することができる。また、本実施形態５０は、中台５４、上台５５がそれぞれ、棹５１に比べて幅寸法の広い台であるため、棹５１に収納部を設けた場合に比べて貫通孔ｈ7，ｈ8の穴径φ7，φ8を大きくできるから、収納部Ｒ5としての収納空間を大きく確保することができる。
【００５３】
以上、本発明に係る、小型墓碑は、第１〜第５実施形態から明らかな如く、遺髪、遺骨や故人が生前に使用していた物などの故人を偲ぶ物品（遺品）を収納する収納部（Ｒ1，Ｒ2，Ｒ3，Ｒ4，Ｒ5）が台座（１２，２２，３２，４２，５２）に設けられているから、小型墓碑に収納した遺品を遺族などの利用者の意思と無関係に脱落させること無く収納および取り出し可能な小型墓碑（１０，２０，３０，４０，５０）を提供することができる。加えて、遺品の収納または取り外しを行う際の脱落を防止する対策が不要となるため、製造コストを抑えることができる。
【００５４】
上述したところは、本発明の好適な実施形態を示したに過ぎず、当業者によれば、請求の範囲において、種々の変更を加えることができる。例えば、図面に記載された寸法は、これに限定されるものではなく、墓碑の実寸の約１／１０程度となるもの、または、全長が約１５〜３０cm程度となるものが好ましい。収納部Ｒの断面形状も、円形に限るものではなく、正方形や長方形などの矩形断面や、三角形や六角形などの多角形断面であってもよい。
さらに、小型墓碑の材料は、御影石などの石材類に限らず、プラスチックなどの樹脂材料や、故人と一緒に火葬できるような耐熱性に優れた材料、例えば、セラミック材料を使用しても良い。
【００５５】
【発明の効果】
このため、第１発明に係る、小型墓碑は、遺髪、遺骨や故人が生前に使用していた物などの故人を偲ぶ物品（遺品）を収納する収納部が台座に設けられているから、小型墓碑に収納した遺品を遺族などの利用者の意思と無関係に脱落させること無く収納および取り出し可能な小型墓碑を提供することができる。加えて、遺品の収納または取り外しを行う際の脱落を防止する対策が不要となるため、製造コストを抑えることができる。
【００５６】
第２発明に係る、小型墓碑は、第１発明において、前記収納部が、中台および上台を貫通する貫通孔と、この貫通孔の底板となる芝台とで画成された開空間からなり、前記上台は、前記棹を取り外し可能に支持するものである。この場合、収納面積を大きく確保できるから、機能的に優れた小型墓碑を提供することができる。
【００５７】
第４発明に係る、小型墓碑は、第１発明乃至第３発明のいずれか一発明において、前記上台及び中台は、該台座の残部によって取り外し可能に支持されるものである。この場合、指輪などの小さな遺品の収納および取り出しが容易であるから、さらに機能的に優れた小型墓碑を提供することができる。
【００５８】
特に、第１発明に係る、小型墓碑は、前記台座が、棹に向かって、芝台、中台、上台を順次配置したものであり、前記収納部は、中台を貫通する貫通孔、または、中台および上台を貫通する貫通孔と、この貫通孔の底板となる芝台とで画成された開空間である。この場合、特定の宗教において利用される墓碑に適用可能であるから、顧客のニーズに合わせた小型墓碑を提供することができる。
【００５９】
第５発明に係る、小型墓碑は、棹と、棹を支持する台座とを備える小型墓碑であって、前記台座は、棹に向かって、芝台、上台を順次配置したものであり、その内部に、上台を貫通する貫通孔と、この貫通孔の底板となる芝台とで画成された開空間からなる収納部を備え、この収納部が、棹、上台の少なくとも一つの取り外しによって開放されるものである。この場合、第１発明と同様の効果を得ることができる。
【００６０】
第６発明に係る、小型墓碑は、第１発明乃至第５発明のいずれか一発明において、前記棹が上方に向かって、玉、笠、ギボシを順次支持することにより五輪塔形状をなすものである。この場合、第１発明と同様の効果を得ることができる。
【００６１】
第７発明に係る、小型墓碑は、第１発明乃至第５発明のいずれか一発明において、前記棹が上方に向かって、塔身、笠、相輪を順次支持することにより宝筐印塔形状をなすものである。この場合、第１発明と同様の効果を得ることができる。
【図面の簡単な説明】
【図１】  本発明に係る、小型墓碑の第１実施形態に付属物を配した状態を示す正面図である。
【図２】  同形態の小型墓碑を分解した状態を示す斜視図である。
【図３】  同形態の小型墓碑における付属品であって、（ａ）は経机香炉を示す正面図、（ｂ）は拝石を模した経机香炉用石板を示す斜視図、（ｃ）は水鉢を示す正面図、（ｄ）は花立を示す正面図である。
【図４】  本発明に係る、小型墓碑の第２実施形態に付属物を配した状態を示す正面図である。
【図５】  同形態の小型墓碑を分解した状態を示す斜視図である。
【図６】  同形態の小型墓碑における付属品であって、（ａ）は水鉢を示す斜視図、（ｂ）は拝石を模した石板を示す斜視図、（ｃ）は花立を示す斜視図である。
【図７】  本発明に係る、小型墓碑の第３実施形態に付属物を配した状態を示す正面図である。
【図８】  同形態の小型墓碑を分解した状態を示す斜視図である。
【図９】  同形態の小型墓碑における付属品であって、花立を一体的に形成した水鉢を示す斜視図である。
【図１０】  本発明に係る、小型墓碑の第４実施形態を示す正面図である。
【図１１】  同形態の小型墓碑を分解した状態を示す斜視図である。
【図１２】  本発明に係る、小型墓碑の第４実施形態を示す一部断面図である。
【図１３】  同形態を上面から示す一部断面図である。
【符号の説明】
１０  小型墓碑（第１実施形態）
１１  棹
１２  台座
１３  芝台
１４  中台
１５  上台
１６  水鉢
１７  花立
１８  経机香炉
１９  石板（拝石）
ｈ1，ｈ2  貫通孔
Ｒ1  収納部
２０  小型墓碑（第２実施形態）
２１  棹
２２  台座
２３  芝台
２４  上台
２５  水鉢
２６  花立
２７  石板（拝石）
ｈ3  貫通孔
Ｒ2  収納部
３０  小型墓碑（第３実施形態）
３１  棹
３２  台座
３３  芝台
３４  中台
３５  上台
３６  玉
３７  笠
３８  キボシ
３９  水鉢
ｈ4，ｈ5  貫通孔
Ｒ3  収納部
４０  小型墓碑（第４実施形態）
４１  棹
４２  台座
４３  芝台
４４  上台
４５  玉
４６  笠
４７  キボシ
ｈ6  貫通孔
Ｒ4  収納部
５０  小型墓碑（第５実施形態）
５１  棹
５２  台座
５３  芝台
５４  中台
５５  上台
５５ａ  上蓮華
５５ｂ  下蓮華
５６  塔頭
５７  笠
５８  相輪
５９  水鉢
ｈ7，ｈ8  貫通孔
Ｒ5  収納部
【図１】
0003887530.tif 000002
【図２】
0003887530.tif 000003
【図３】
0003887530.tif 000004
【図４】
0003887530.tif 000005
【図５】
0003887530.tif 000006
【図６】
0003887530.tif 000007
【図７】
0003887530.tif 000008
【図８】
0003887530.tif 000009
【図９】
0003887530.tif 000010
【図１０】
0003887530.tif 000011
【図１１】
0003887530.tif 000012
【図１２】
0003887530.tif 000013
【図１３】
0003887530.tif 000014